(57)【要約】【課題】ブラインドを閉じた場合に室内を明るくできるカーテンウォールとする。【解決手段】空気層９を有する窓部１と、この窓部１の上部と連続したパネル部２と、前記窓部１の下部に設けた換気装置３と、この換気装置３と下の階のパネル部２の上部との間に設けた採光用窓４を備えたカーテンウォールで、前記窓部１の空気層９に設けたブラインド１０を閉じた場合に採光用窓４で十分に採光して室内を明るくできる。【選択図】        図３
2004346523.tif 000002
【特許請求の範囲】
【請求項１】
室外側採光部と室内側採光部との間に空気層を有する窓部と、
この窓部の上部と連続したパネル部と、
前記窓部の下部に設けた換気装置と、
この換気装置と下の階のパネル部の上部との間に設けた採光用窓を備え、
前記下の階のパネル部の上下方向中間部に床が位置し、
前記窓部の上部に天井が設けられることを特徴とするカーテンウォール。
【請求項２】
窓部の室内側採光部とパネル部の床面よりも上方の室内側面が採光用窓よりも室内寄りで、採光用窓と換気装置とパネル部の上部との間に、室内側に開口した凹陥部を形成している請求項１記載のカーテンウォール。
【発明の詳細な説明】
【０００１】
【発明の属する技術分野】
本発明は、建物の外壁を構成するカーテンウォール、詳しくは換気装置を備えたカーテンウォールに関する。
【０００２】
【従来の技術】
特許文献１に開示されたカーテンウォールが知られている。
このカーテンウォールは、室外側ガラスと室内側ガラス障子との間に空気層を有する窓部を形成し、この窓部の下部、上部に開閉装置をそれぞれ設け、前記空気層に外気、内気を流通できるようにしたカーテンウォールである。
このカーテンウォールであれば、室内を換気することができる。
【０００３】
【特許文献１】
特開２０００−２７４１５２号公報
【０００４】
【発明が解決しようとする課題】
前述したカーテンウォールは、空気層を有する窓部で採光しているから、この空気層に設けたブラインドを閉じた場合には室内が暗くなる。
すなわち、前述のブラインドは夏季などに太陽光が直接室内に入り込むことを防止するものであるから、ブラインドを閉じた場合に窓部から十分に採光できずに室内が暗くなる。
【０００５】
本発明の目的は、室内を換気できること、窓部から十分に採光できなくとも室内を明るくできることを満足したカーテンウォールを提供することである。
【０００６】
【課題を解決するための手段】
第１の発明は、室外側採光部と室内側採光部との間に空気層を有する窓部と、
この窓部の上部と連続したパネル部と、
前記窓部の下部に設けた換気装置と、
この換気装置と下の階のパネル部の上部との間に設けた採光用窓を備え、
前記下の階のパネル部の上下方向中間部に床が位置し、
前記窓部の上部に天井が設けられることを特徴とするカーテンウォールである。
【０００７】
第２の発明は、第１の発明において窓部の室内側採光部とパネル部の床面よりも上方の室内側面が採光用窓よりも室内寄りで、採光用窓と換気装置とパネル部の上部との間に、室内側に開口した凹陥部を形成しているカーテンウォールである。
【０００８】
【作  用】
第１の発明によれば、空気層を有する窓部とは別に採光用窓を備えているので、その窓部から十分に採光できない場合、例えば、空気層に設けたブラインドを閉じた場合に採光用窓で採光して室内を明るくできる。
【０００９】
第２の発明によれば、換気装置と採光用窓とパネル部の室内側部との間に凹陥部が形成されているから、換気装置及びパネル部の室内側上部が採光用窓に対して室内側に庇状に突出するので、内観の見栄えが良い。
【００１０】
本発明に用いる換気装置３は、室内と空気層を連通する第１の状態と、室外と空気層を連通する第２の状態と、室内と室外を連通する第３の状態に切換えできるものであることが好ましい。
具体的には、室内に開口した第１通気部１５と、室外に開口した第２通気部１６と、空気層９に連通した第３通気部１７と、この第１・第２・第３通気部１５，１６，１７を連通・遮断する切換機構１８を備えたものである。
【００１１】
前記切換機構１８は、第１・第２・第３通気口４４，４５，４６を有するハウジング４２と、このハウジング４２内に第１・第２・第３の位置に回転自在に設けた羽根４３を備え、羽根４３が第１の位置の時には第１通気口４４と第３通気口４６が連通し、第２の位置の時には第２通気口４５と第３通気口４６が連通し、第３の位置の時には第１通気口４４と第２通気口４５が連通する。
そして、第１通気口４４が第１通気部１５に連通し、第２通気口４５が第２通気部１６に連通し、第３通気口４６が第３通気部１７に連通したものである。
【００１２】
前記切換機構１８は、羽根４３が第１の位置の時には、ハウジング４２の内周面、側面と羽根４３の径方向両端部と長手方向両端部がシール材によってシールされることが好ましい。
このようにすれば、室内と空気層９が連通している時に切換機構１８の内部で室外と室内が連通して空気が流れることを確実に防止できる。
【００１３】
【発明の実施の形態】
図１と図２に示すように、窓部１と、この窓部１の上部と連続したパネル部２と、前記窓部１の下部に設けた換気装置３と、この換気装置３と下の階のパネル部２の上部の間に設けた採光用窓４でカーテンウォールユニットを形成し、このカーテンウォールユニットを上下方向に順次連続して取付けることでカーテンウォールを形成する。
前記パネル部２の上下方向中間に床５が設けられ、窓部１の上部に天井６が設けてあり、窓部１とパネル部２と換気装置３と採光用窓４で１つの階のカーテンウォールを構成している。
例えば、パネル部２の下部は天井６とほぼ同一高さで、そのパネル部２の上部は、上の階の床５よりも高い位置である。
前記窓部１の上部は天井６とほぼ同一高さで、前記パネル部２の下部と連続する。
この窓部１の下部に設けた換気装置３はパネル部２の上部と間隔を置いて対向し、その換気装置３の下部とパネル部２の上部との間に採光用窓４が設けてある。
この採光用窓４は床５よりも高い位置である。
【００１４】
この実施の形態では、窓部１の高さは室内高さ（床５と天井６との間の距離）の半分よりも大きく、パネル部２の床５からの突出高さは室内高さの１／４程度で、採光用窓４の高さは室内高さの１０％以下である。
【００１５】
前記窓部１は、室外側採光部、例えば室外側ガラス板７と室内側採光部、例えば開閉自在な室内側ガラス障子８との間に空気層９を有し、この空気層９にブラインド１０が設けてある。
前記換気装置３によって空気層９の下部が室内、室外に連通・遮断制御される。
前記空気層９の上部は図示しないファンに連通している。
【００１６】
前記パネル部２は、上下方向に連続した室外側パネル１１と、床５よりも立ち上った室内側パネル１２を備え、その室内側パネル１２は前記室内側ガラス障子８と見込み方向にほぼ同一位置である。
この実施の形態では、室内側パネル１２は室内側ガラス障子８よりも見込み方向室内寄りに位置している。
【００１７】
前記採光用窓４は室外側ガラス板７と見込み方向にほぼ同一位置で、この採光用窓４と換気装置３とパネル部２の上部（室内側上面パネル１３）で室内側に開口した凹陥部１４を形成している。
つまり、換気装置３の下部及びパネル部２の上部が採光用窓４よりも庇状に室内側にそれぞれ突出している。
【００１８】
この実施の形態においては、窓部１の左右両側にもパネル部２が設けてあると共に、各パネル部２の室外側面（室外側パネル１１）は窓部１の室外側面（室外側ガラス板７）よりも室外側に突出している。
このようにすることで、カーテンウォールを室外から見た場合に、パネル部２の室外側面よりも窓部１が奥まった状態となるから、外観が見栄え良い。
【００１９】
前記換気装置３は、室内に開口した第１通気部１５と室外に開口した第２通気部１６と空気層９に開口した第３通気部１７と、これらの第１・第２・第３通気部１５，１６，１７を連通・遮断する切換機構１８を有し、室内を換気できる。
前記第１通気部１５が室内（つまり、床５と天井６との間）に開口し、第２通気部１６が室外に開口している。
【００２０】
次に、各部の具体形状を説明する。
前記窓部１は、図３に示すように室外側サッシ枠２０と室内側上横枠材２１を備え、この室外側サッシ枠２０、室内側上横枠材２１は図示しないファスナー等で建物の骨組体２２にそれぞれ取付けられる。
前記室外側サッシ枠２０は、上枠２０ａ、下枠２０ｂ、縦枠２０ｃを方形枠組みしたもので、その枠内に前記室外側ガラス板７が装着してある。
前記室内側上横枠材２１に複数の室内側ガラス障子８が吊り下げて装着され、その複数の室内側ガラス障子８のうち、いくらかは、面内方向及び面外方向に移動自在で、前記空気層９の室内側を開放、閉塞できるようにしてある。
【００２１】
前記室外側サッシ枠２０と室内側上横枠材２１は室内外側方向（面外方向）に離隔し、その上枠２０ａと室内側上横枠材２１に亘って上連結材２３が取付けてある。
この上連結材２３の孔２３ａに、前記ファンに連通したダクト２４が接続してあると共に、この上連続材２３に前記ブラインド１０が取付けてある。
このブラインド１０は、複数のブラインド羽根１０ａを昇降自在としたもので、図３に実線で示すように複数のブラインド羽根１０ａを上昇すると開放状態となり、図３に仮想線で示すように複数のブラインド羽根１０ａを下降すると閉じ状態となる。
【００２２】
前記パネル部２は、コンクリート層２５を備え、このコンクリート層２５が前記骨組体２２で支持され、その表面に前記室外側パネル１１が取付けてある。
この室外側パネル１１で天井６と床５の間の部分を室外側から見えないようにしている。
前記コンクリート層２５の床５から上方に突出した部分は、室内側パネル１２と室内側上面パネル１３で室内から見えないようにしてある。
【００２３】
前記採光用窓４は、窓枠３０に複層ガラス３１を装着したもので、この採光用窓４部分の断熱性が優れたものとしてある。
前記窓枠３０は、上枠３０ａ、下枠３０ｂ、縦枠３０ｃを方形枠組みしたもので、その下枠３０ｂが前述の骨組体２２に図示しないファスナーで連結してある。
前記室内側上面パネル１３は下枠３０ｂと連続している。
前記床５は、床スラブ５ａに床板５ｂを取付けてある。
前記天井６は、室内側上横枠材２１に天井材６ａを取付けてある。
【００２４】
前記換気装置３は図４に示すように、窓部１の下枠２０ｂと採光用窓４の上枠３０ａに亘って取付けた室外側部材４０を備えている。
この室外側部材４０は室内側に開口したほぼ横向コ字形状で、その下面に開口部４１が形成してあり、前記窓部１、採光用窓３よりも室外側に突出し、この室外側部材４０の内部と前記下枠２０ｂと上枠３０ａとの間の空間と開口部４１で前記第２通気部１６を形成している。
前記室外側部材４０は、ほぼ鉤形の本体４０ａと下面板４０ｂに二分割され、その下面板４０ｂに開口部４１が形成してある。なお、これに限ることはなく本体４０ａと下面板４０ｂが一体であっても良い。
【００２５】
前記切換機構１８は、ハウジング４２と羽根４３を備えている。
このハウジング４２は第１通気口４４と第２通気口４５と第３通気口４６を有する。前記羽根４３は図４に示すように第１通気口４４と第３通気口４６を連通し、かつ第２通気口４５と第１・第３通気口４４，４６を遮断する第１の位置と、図５に示すように第２通気口４５と第３通気口４６を連通し、かつ第１通気口４４と第２・第３通気口４５，４６を遮断する第２の位置と、図６に示すように第１通気口４４と第２通気口４５を連通し、かつ第３通気口４６と第１・第２通気口４４，４５を遮断する第３の位置に移動する。
この実施の形態では羽根４３は回転する。
【００２６】
前記ハウジング４２の室内側部に室内側部材４７が取付けてあり、この室内側部材４７は中空形状で、その下面に開口部４８が形成され、この開口部４８と中空部で前記第１通気部１５を形成している。
この室内側部材４７の中空部は前記第１通気口４４に連通して第１通気部１５が第１通気口４４に連通している。
前記ハウジング４２の第２通気口４５は前記第２通気部１６に連通している。
前記ハウジング４２の上部に上部材４９が取付けてあり、この上部材４９に開口部４９ａが形成してある。
この開口部４９ａがハウジング４２の第３通気口４６に連通して前記第３通気部１７としてある。
【００２７】
このようであるから、羽根４３を図４に示す第１の位置とすれば、第１通気部１５と第３通気部１７が連通して室内と空気層９に空気が流通する。
また、羽根４３を図５に示す第２の位置とすれば、第２通気部１６と第３通気部１７が連通して室外と空気層９に空気が流通する。
また、羽根４３を図６に示す第３の位置とすれば、第１通気部１５と第２通気部１６が連通して室内と室外とに空気が流通する。
【００２８】
次に、ハウジング４２の内周面と羽根４３の径方向両端部のシールについて説明する。
前記ハウジング４２には一対のシール材５０が装着されていると共に、このハウジング４２には一対の第１シール材受け５１と一対の第２シール材受け５２を有する。
前記一対のシール材５０は羽根４３の回転中心４３ａを境として径方向に相対向し、かつ羽根４３の長手方向に連続し、羽根４３が第１の位置の時に図４に示すように圧接する。
前記一対の第１シール材受け５１は羽根４３の回転中心４３ａを境として径方向に相対向し、かつ羽根４３の長手方向に連続し、羽根４３が第２の位置の時に、その羽根４３の径方向両端部に装着したシール材５３が図５に示すようにそれぞれ圧接する。
前記一対の第２シール材受け５２は羽根４３の回転中心４３ａを境として径方向に相対向し、かつ羽根４３の長手方向に連続し、羽根４３が第３の位置の時に前述のシール材５３が図６に示すようにそれぞれ圧接する。
【００２９】
次に、ハウジング４２の長手方向両側面と羽根４３の長手方向両端面との間のシールについて説明する。
図７と図８に示すように、ハウジング４２の側面４２ａに端部シール材用のガイドプレート６０が取付けてある。このガイドプレート６０は径方向一対の内向片６１を備えている。
前記側面４２ａに端部シール材６２を取付ける。この端部シール材６２はリング部６３と一対のシール片６４を備え、そのリング部６３が側面４２ａの軸挿通孔６５の周縁に圧接し、前記各シール片６４が前記各内向片６１に当接している。この軸挿通孔６５に図示しないモータで駆動される軸が挿通し、その軸が羽根４３に連結される。
前記各シール片６４は図８に示すように、前述のハウジング４２の内周面に装着した一対のシール材５０と接する。
前記羽根４３の長手方向両端面にシールプレート６６を介してサイドプレート６７が取付けてある。
【００３０】
前記サイドプレート６７の中心部分６７ａが端部シール材６２のリング部６３に圧接し、羽根４３が第１の位置の時に一対のシール片６４に圧接する。
この時、一対のシール片６４は前記ガイドプレート６０の内向片６１にそれぞれ押しつけられるので、確実にシールできる。
このように、羽根４３が第１の位置の時にハウジング４２の内周面、側面４２ａと羽根４３の径方向両端部、長手方向両端部の間がシールされるので、ハウジング４２の第２通気口４４（第２通気部１６）と第１・第３通気口４３，４５（第１・第３通気部１５，１７）に亘って空気が流通することを確実に防止できる。
【００３１】
この実施の形態では、ハウジング４２は図７、図８に示すように、一対の側面板７０間に第１・第２・第３形材７１，７２，７３を連結した形状で、その第１・第２形材７１，７２間に第１通気口４４を形成し、第２・第３形材７２，７３間に第２通気口４５を形成し、第１・第３形材７１，７３間に第３通気口４６を形成している。
前記第２形材７２の室外寄り上面（つまり、シール材５０の装着部７２ｂよりも室外寄りの上面７２ａは室内側から室外側に向けて順次低くなるように傾斜し、結露水がスムーズに室外側に流れると共に、吹き込んだ雨水が室外側に流れる）ようにしてある。
なお、ハウジング４２は一体形状で、周面部に孔を形成して第１・第２・第３通気口４３，４４，４５としても良い。
【００３２】
【発明の効果】
請求項１に係る発明によれば、換気装置で室内を換気できるし、空気層を有する窓部とは別に採光用窓を備えているので、その窓部から十分に採光できない場合、例えば、空気層に設けたブラインドを閉じた場合に採光用窓で採光して室内を明るくできる。
【００３３】
請求項２に係る発明によれば、換気装置と採光用窓とパネル部の室内側部との間に凹陥部が形成されているから、換気装置及びパネル部の室内側上部が採光用窓に対して室内側に庇状に突出するので、内観の見栄えが良い。
【図面の簡単な説明】
【図１】本発明の実施の形態を示すカーテンウォールの一部外観図である。
【図２】図１のＡ−Ａ断面図である。
【図３】図２の窓部部分の拡大断面図である。
【図４】図２の換気装置部分の拡大断面図である。
【図５】羽根が第２の位置の時の断面図である。
【図６】羽根が第３の位置の時の断面図である。
【図７】ハウジングと羽根の一部分解斜視図である。
【図８】ハウジングの側面部分の正面図である。
【符号の説明】
１…窓部、２…パネル部、３…換気装置、４…採光用窓、５…床、６…天井、７…室外側ガラス板（室外側透光部）、８…室内側ガラス障子（室内側透光部）、９…空気層、１０…ブラインド、１５…第１通気部、１６…第２通気部、１７…第３通気部、１８…切換機構、４２…ハウジング、４３…羽根、４４…第１通気口、４５…第２通気口、４６…第３通気口。
【図１】
2004346523.tif 000003
【図２】
2004346523.tif 000004
【図３】
2004346523.tif 000005
【図４】
2004346523.tif 000006
【図５】
2004346523.tif 000007
【図６】
2004346523.tif 000008
【図７】
2004346523.tif 000009
【図８】
2004346523.tif 000010